(57)【要約】【課題】小型高密度実装時の光アダプタにおいて、光コネクタプラグが半挿し状態であるか否かを前記光アダプタの正面から容易且つ確実に確認できるようにする。【解決手段】正面に光接続検知用の発光表示部３２及び下面の前後両端側に光接続検知用のスイッチレバー３３を備えた光接続検知装置３１と、両端の嵌合部から挿入される光コネクタプラグ２０のフェルール先端部同士を突合せ接合する光アダプタ１１とを備え、前記光接続検知装置３１の前後両端側のスイッチレバー３３先端側が、前記光アダプタ１１の両嵌合部の開口端上壁側に形成された切欠凹部３８に各臨ませ、前記光コネクタプラグ２０が前記光アダプタ１１の嵌合部に半挿し状態でなく完全挿入された際には、スイッチレバー３３を押し上げ前記発光表示部３２がオン状態の点灯色に表示されるように形成する。【選択図】図１３
2020046456.tif 000002
【特許請求の範囲】
【請求項１】
正面に接続検知用の発光表示部及び下面に接続検知用のスイッチレバーを設けた接続検知装置と、
両端に光学軸が一致するように光コネクタプラグの嵌合部をそれぞれ備え且つ内部に両端の嵌合部から挿入される光コネクタプラグのフェルール先端部同士を突合せ接合する光アダプタとを備え、
前記接続検知装置下面のスイッチレバー先端側が、前記光アダプタの嵌合部の開口端上壁側に形成された切欠凹部に臨ませて成り、
前記光コネクタプラグが前記光アダプタの嵌合部に半挿し状態でなく完全挿入された際には、前記スイッチレバーを押し上げスイッチオフ状態からスイッチオン状態となして、前記正面の発光表示部に当該オン状態の点灯色が表示されるように形成したことを特徴とする光コネクタの接続検知機構。
【請求項２】
前記接続検知装置は、外形を矩形筐体状に形成すると共に、下面の前後両端側に前記接続検知用のスイッチレバーを設け、且つ前記当該接続検知装置の正面の発光表示部は、前記光アダプタ両端の嵌合部に対応して上下部位に一対となって形成したことを特徴とする請求項１記載の光コネクタの接続検知機構。
【請求項３】
前記光アダプタを複数個、並置実装させた光アダプタパネルを備え、前記光アダプタの上側に前記接続検知装置が配置するよう前記光アダプタパネルに当該接続検知装置の長さと略同じ幅を有する取付凹所を設け、前記接続検知装置正面の発光表示部は、前記光アダプタそれぞれの両端の嵌合部に対応して上下部位に横一列となって形成したことを特徴とする請求項１または２記載の光コネクタの接続検知機構。
【請求項４】
前記接続検知装置の左右両側面に水平なガイドキーを設けるとともに、該ガイドキーと離間した位置に、前記光アダプタパネルに固定するためのネジ取付フランジ部を設け、前記光アダプタパネルの取付凹所における左右内縁の対向位置には、当該光アダプタパネルの前方から前記ガイドキーを挿入するためのガイド溝を形成したことを特徴とする請求項３記載の光コネクタの接続検知機構。
【請求項５】
前記接続検知装置の下面の前後両端側には下向きの突起を備え、前記光アダプタの両嵌合部の開口端上壁側には孔部を備え、前記光アダプタパネルに対し前記接続検知装置を前記ネジ取付フランジ部で係止した状態で下方に移動させて、前記突起を前記孔部に嵌合させることで前記接続検知装置に対する前記光アダプタの位置決めを行わせるように形成したことを特徴とする請求項３または４記載の光コネクタの接続検知機構。
【請求項６】
前記光コネクタプラグは、前記光アダプタと着脱自在に係合するラッチレバーが当該光コネクタプラグの長手方向の上面に前方から後方に向かって形成されたＬＣ形の光コネクタプラグであり、当該光コネクタプラグが前記光アダプタの嵌合部に半挿し状態でなく完全挿入された際には、前記ラッチレバーが前記接続検知装置のスイッチレバーを押し上げスイッチオフ状態からスイッチオン状態となして、前記正面の発光表示部に当該オン状態の点灯色が表示されるように形成したことを特徴とする請求項１乃至５の何れか記載の光コネクタの接続検知機構。
【請求項７】
前記光コネクタプラグは、フェルールを先端に収納したスリーブ状のハウジングに外挿して該ハウジングの軸線方向に確保した可動範囲でスライド移動可能に設けられた筒状のカップリングを有するＭＰＯ形の光コネクタプラグであり、前記光コネクタプラグが前記光アダプタの嵌合部に半挿し状態でなく完全挿入された際には、前記カップリングが前記接続検知装置のスイッチレバーを押し上げスイッチオフ状態からスイッチオン状態となして、前記正面の発光表示部に当該オン状態の点灯色が表示されるように形成したことを特徴とする請求項１乃至５の何れか記載の光コネクタの接続検知機構。
【請求項８】
前記光コネクタプラグは、プラグフレームの外側にツマミを外装し、前記プラグフレームが前記ツマミ内を軸方向へ所要ストロークだけ摺動できるように構成されたＭＵ形の光コネクタプラグであり、前記光コネクタプラグが前記光アダプタの嵌合部に半挿し状態でなく完全挿入された際には、前記ツマミが前記接続検知装置のスイッチレバーを押し上げスイッチオフ状態からスイッチオン状態となして、前記正面の発光表示部に当該オン状態の点灯色が表示されるように形成したことを特徴とする請求項１乃至５の何れか記載の光コネクタの接続検知機構。
【請求項９】
前記光コネクタプラグは、ツマミ内部に装着されたプラグフレーム内にフェルールを内装して成るＳＣ形の光コネクタプラグであり、前記光コネクタプラグが前記光アダプタの嵌合部に半挿し状態でなく完全挿入された際には、前記ツマミの上面中央に形成されたガイド突起が前記接続検知装置のスイッチレバーを押し上げスイッチオフ状態からスイッチオン状態となして、前記正面の発光表示部に当該オン状態の点灯色が表示されるように形成したことを特徴とする請求項１乃至５の何れか記載の光コネクタの接続検知機構。
【発明の詳細な説明】
【技術分野】
【０００１】
本発明は、例えば小型高密度実装時の光アダプタにより相互接続される光コネクタプラグの接続検知機構に関する。
【背景技術】
【０００２】
従来、光アダプタへの嵌合時における光コネクタプラグの半挿し状態を未然に回避できると同時に正常嵌合時における光アダプタからの光コネクタプラグの誤脱を確実に防止することができる光コネクタプラグの接続検知機構が多数存在する。
【０００３】
具体的には特許文献１に示すように、アダプタ本体内にアダプタスリーブとアダプタラッチとを有し、フェルールを備えた光コネクタプラグが前記アダプタ本体に挿入され、アダプタラッチの頭部がコネクタラッチの頭部、あるいは該コネクタラッチの頭部及び板状部を乗り越えてコネクタラッチに係合されて、前記光コネクタプラグの接続がなされ、アダプタラッチの頭部の浮き上がり動作によって、連結子回転支点及び回転表示部回転支点を中心として回動されて、前記アダプタラッチ浮き上がり動作量を回動増幅させ、前記回転表示部が連結子によって回転されて、その回転表示面に前記回動増幅した動作量で前記アダプタラッチが前記コネクタラッチあるいは前記板状部に乗り上げたときの半挿し状態を表示させるものとした光コネクタプラグ連結用の光アダプタが公知である。
【０００４】
また、特許文献２に示すように、光コネクタプラグが光アダプタに挿入されて、光コネクタラッチの頭部に光アダプタラッチの頭部が係合することなく、頭部先端同士で当接したときに、光アダプタの光アダプタラッチの頭部が光コネクタラッチの頭部によって浮き上がり動作されて、双方のラッチが係合したときと異なる半挿しの状態位置となり、前記アダプタラッチ浮き上がり動作量を機械的に回動増幅をさせ、該増幅した動作量の位置を表示するようにした光コネクタプラグ連結用の光アダプタが公知である。
【０００５】
さらに、特許文献３に示すように、二連型ＬＣコネクタが嵌挿されたときに通信光の一部が漏洩光として取り出される二つの光伝送路のうち、第１の光伝送路が配置されると共に第１の壁面で区画されて他の空間から隔離された第１の空間から前記漏洩光を取り出す第１の光取出孔と、前記二つの光伝送路のうちの第２の光伝送路が配置されると共に第２の壁面で区画されて他の空間から隔離された第２の空間から前記漏洩光を取り出す第２の光取出孔と、を光に対して不透明であるアダプタ本体の上壁面に有し、前記第１の光取出孔に嵌着される第１の受光素子と、前記第２の光取出孔に嵌着される第２の受光素子と、を有する通信光検知器と、を備え、前記第１の光取出孔と第２の光取出孔は、同一の貫通孔からなり、前記第１の空間と前記第２の空間との間を区画する仕切壁は、前記第１の受光素子が一面に搭載されると共に前記第２の受光素子が他面に搭載された受光基板からなる二連型ＬＣ用通信光検知用アダプタが公知である。
【０００６】
さらにまた、特許文献４に示すように、通信光可視化アダプタの上壁面に形成された光取出孔にアタッチメントを介して取り付けられ、前記通信光可視化アダプタを介して伝送されている通信光の一部が取り出されてなる漏洩光を前記光取出孔を通じて受光し、前記通信光可視化アダプタを介して前記通信光が伝送されているか否かを検知するための表示灯が表示部の上面に備えた通信光検知器が公知である。
【先行技術文献】
【特許文献】
【０００７】
【特許文献１】特許第４６８５９７２号公報
【特許文献２】特許第４５８８８０５号公報
【特許文献３】特許第６２１９２１９号公報
【特許文献４】特許第６２２９５４９号公報
【発明の概要】
【発明が解決しようとする課題】
【０００８】
しかしながら、上記した特許文献１及び特許文献２においては、光コネクタプラグ相互の半挿しによる接続不良が回転表示部の機械的動作によって表示されるために往々にして回転不具合が生じてしまう虞がある。
【０００９】
しかも、特許文献２の場合では、動作量の位置を表示する面が上向きに配されているため、縦方向に多数重なるような小型高密度実装による光アダプタにおいては、正面からの表示の視認が困難である。
【００１０】
また、上記した特許文献３においては、第１の空間からの漏洩光を取り出す第１の光取出孔と、第２の空間からの漏洩光を取り出す第２の光取出孔とによる通信光検知器がアダプタ本体の上壁面に有するため、縦方向に多数重なるような小型高密度実装による光アダプタにおいては、当該通信光検知器の正面からの視認が困難である。
【００１１】
さらに、上記した特許文献４においては、通信光可視化アダプタの上壁面に形成された光取出孔にアタッチメントを介して取り付けられた通信光検知器の表示部の上面に表示灯が配されているため、縦方向に多数重なるような小型高密度実装による光アダプタにおいては、正面からの表示灯の視認が困難である。
【００１２】
さらにまた、上記した特許文献１及び特許文献２の回転表示部は、個々の光アダプタに対してそれぞれ個別に設けられ、また特許文献３及び特許文献４の通信光検知器は、個々の光アダプタに対してそれぞれ個別に取り付けられるため、全ての光アダプタそれぞれに対する回転表示部の設置及び通信光検知器の取り付け作業が非常に面倒で且つ手間も掛かる。
【００１３】
しかも、特許文献３の通信光検知器では、光反射層や位置調整用溝等を設け、特許文献４の通信光検知器では、受光素子を設けたりするなど複雑な構成となり、製品コストおよび製造コストも高額となる。
【００１４】
そこで、本発明は、叙上のような従来存した諸事情に鑑み案出されたもので、小型高密度実装が可能な光アダプタにおいて、光コネクタプラグが半挿し状態であるか否かを光アダプタの正面側から視て容易に確認でき、全ての光アダプタにおける接続不良事故の発生を未然に防止するとともに、横方向に隣接する全ての光アダプタにわたって共用されるべく単一構成による接続検知装置を取り付けられるようにすることで、従来のような光アダプタに対して当該検知装置を個別に取り付けるという面倒な作業を解消できるようにした光コネクタプラグの接続検知機構を提供することを目的とする。
【課題を解決するための手段】
【００１５】
上述した課題を解決するために、本発明にあっては、正面に接続検知用の発光表示部及び下面に接続検知用のスイッチレバーを設けた接続検知装置と、
両端に光学軸が一致するように光コネクタプラグの嵌合部をそれぞれ備え且つ内部に両端の嵌合部から挿入される光コネクタプラグのフェルール先端部同士を突合せ接合する光アダプタとを備え、
前記接続検知装置下面のスイッチレバー先端側が、前記光アダプタの嵌合部の開口端上壁側に形成された切欠凹部に臨ませて成り、
前記光コネクタプラグが前記光アダプタの嵌合部に半挿し状態でなく完全挿入された際には、前記スイッチレバーを押し上げスイッチオフ状態からスイッチオン状態となして、前記正面の発光表示部に当該オン状態の点灯色が表示されるように形成したことを特徴とする。
【００１６】
前記接続検知装置は、外形を矩形筐体状に形成すると共に、下面の前後両端側に前記接続検知用のスイッチレバーを設け、且つ前記当該接続検知装置の正面の発光表示部は、前記光アダプタ両端の嵌合部に対応して上下部位に一対となって形成したことを特徴とする。
【００１７】
前記光アダプタを複数個、並置実装させた光アダプタパネルを備え、前記光アダプタの上側に前記接続検知装置が配置するよう前記光アダプタパネルに当該接続検知装置の長さと略同じ幅を有する取付凹所を設け、前記接続検知装置正面の発光表示部は、前記光アダプタそれぞれの両端の嵌合部に対応して上下部位に横一列となって形成したことを特徴とする。
【００１８】
前記接続検知装置の左右両側面に水平なガイドキーを設けるとともに、該ガイドキーと離間した位置に、前記光アダプタパネルに固定するためのネジ取付フランジ部を設け、前記光アダプタパネルの取付凹所における左右内縁の対向位置には、当該光アダプタパネルの前方から前記ガイドキーを挿入するためのガイド溝を形成したことを特徴とする。
【００１９】
前記接続検知装置の下面の前後両端側には下向きの突起を備え、前記光アダプタの両嵌合部の開口端上壁側には孔部を備え、前記光アダプタパネルに対し前記接続検知装置を前記ネジ取付フランジ部で係止した状態で下方に移動させて、前記突起を前記孔部に嵌合させることで前記接続検知装置に対する前記光アダプタの位置決めを行わせるように形成したことを特徴とする。
【００２０】
前記光コネクタプラグは、前記光アダプタと着脱自在に係合するラッチレバーが当該光コネクタプラグの長手方向の上面に前方から後方に向かって形成されたＬＣ形の光コネクタプラグであり、当該光コネクタプラグが前記光アダプタの嵌合部に半挿し状態でなく完全挿入された際には、前記ラッチレバーが前記接続検知装置のスイッチレバーを押し上げスイッチオフ状態からスイッチオン状態となして、前記正面の発光表示部に当該オン状態の点灯色が表示されるように形成したことを特徴とする。
【００２１】
前記光コネクタプラグは、フェルールを先端に収納したスリーブ状のハウジングに外挿して該ハウジングの軸線方向に確保した可動範囲でスライド移動可能に設けられた筒状のカップリングを有するＭＰＯ形の光コネクタプラグであり、前記光コネクタプラグが前記光アダプタの嵌合部に半挿し状態でなく完全挿入された際には、前記カップリングが前記接続検知装置のスイッチレバーを押し上げスイッチオフ状態からスイッチオン状態となして、前記正面の発光表示部に当該オン状態の点灯色が表示されるように形成したことを特徴とする。
【００２２】
前記光コネクタプラグは、プラグフレームの外側にツマミを外装し、前記プラグフレームが前記ツマミ内を軸方向へ所要ストロークだけ摺動できるように構成されたＭＵ形の光コネクタプラグであり、前記光コネクタプラグが前記光アダプタの嵌合部に半挿し状態でなく完全挿入された際には、前記ツマミが前記接続検知装置のスイッチレバーを押し上げスイッチオフ状態からスイッチオン状態となして、前記正面の発光表示部に当該オン状態の点灯色が表示されるように形成したことを特徴とする。
【００２３】
前記光コネクタプラグは、ツマミ内部に装着されたプラグフレーム内にフェルールを内装して成るＳＣ形の光コネクタプラグであり、前記光コネクタプラグが前記光アダプタの嵌合部に半挿し状態でなく完全挿入された際には、前記ツマミの上面中央に形成されたガイド突起が前記接続検知装置のスイッチレバーを押し上げスイッチオフ状態からスイッチオン状態となして、前記正面の発光表示部に当該オン状態の点灯色が表示されるように形成したことを特徴とする。
【発明の効果】
【００２４】
本発明によれば、小型高密度実装が可能な光アダプタにおいて、光コネクタプラグが半挿し状態であるか否かを前記光アダプタの正面側から視て容易且つ確実に確認でき、全ての光アダプタにおける接続不良事故の発生を未然に防止するとともに、横方向に隣接する全ての光アダプタにわたって共用されるべく単一構成による接続検知装置を取り付けられるようにすることで、従来のような光アダプタに対して個別に取り付けるという面倒な作業を解消でき、これにより利便性に優れた諸々のプラグセキュリティシステムを構築可能にするものである。
【００２５】
すなわち、本発明は、正面に接続検知用の発光表示部及び下面に接続検知用のスイッチレバーを設けた接続検知装置と、
両端に光学軸が一致するように光コネクタプラグの嵌合部をそれぞれ備え且つ内部に両端の嵌合部から挿入される光コネクタプラグのフェルール先端部同士を突合せ接合する光アダプタとを備え、
前記接続検知装置下面のスイッチレバー先端側が、前記光アダプタの嵌合部の開口端上壁側に形成された切欠凹部に臨ませて成り、
前記光コネクタプラグが前記光アダプタの嵌合部に半挿し状態でなく完全挿入された際には、前記スイッチレバーを押し上げスイッチオフ状態からスイッチオン状態となして、前記正面の発光表示部に当該オン状態の点灯色が表示されるように形成されているので、
小型高密度実装が可能な光アダプタにおいて、光コネクタプラグが半挿し状態であるか否かを光アダプタの正面から確実に視認することができる。
【００２６】
前記接続検知装置は、外形を矩形筐体状に形成すると共に、下面の前後両端側に前記接続検知用のスイッチレバーを設け、且つ前記当該接続検知装置の正面の発光表示部は、前記光アダプタ両端の嵌合部に対応して上下部位に一対となって設けて成るので、前記光アダプタ両端の嵌合部に各挿入される前記光コネクタプラグが半挿し状態であるか否かを前記光アダプタの正面から同時に視認することができる。
【００２７】
前記光アダプタを複数個、並置実装させた光アダプタパネルを備え、前記光アダプタの上側に前記接続検知装置が配置するよう前記光アダプタパネルに当該接続検知装置の長さと略同じ幅を有する取付凹所を設け、前記接続検知装置正面の発光表示部は、前記光アダプタそれぞれの両端の嵌合部に対応して上下部位に横一列となって設けて成るので、前記接続検知装置の上下横一列に配した発光表示部を正面から視認することにより、前記光アダプタ両端の嵌合部に各挿入される光コネクタプラグの何れが半挿し状態であるかを同時に確認することができ、当該光コネクタプラグの接続不良事故の発生を未然に防止することができる。
【００２８】
前記接続検知装置の左右両側面に水平なガイドキーを設けるとともに、該ガイドキーと離間した位置に、前記光アダプタパネルに固定するためのネジ取付フランジ部を設け、前記光アダプタパネルの取付凹所における左右内縁の対向位置には、当該光アダプタパネルの前方から前記ガイドキーを挿入するためのガイド溝を設けて成るので、前記光アダプタパネルに対し前記接続検知装置の幅方向の位置合わせがガイド溝へのガイドキーの挿入によって容易に行えると同時に前記接続検知装置を水平な状態で確実に取付凹所へ取り付けることができる。
【００２９】
前記接続検知装置の下面の前後両端側には下向きの突起を備え、前記光アダプタの両嵌合部の開口端上壁側には孔部を備え、前記光アダプタパネルに対し前記接続検知装置を前記ネジ取付フランジ部で係止した状態で下方に移動させて、前記突起を前記孔部に嵌合させることで前記接続検知装置に対する光アダプタの位置決めを行わせるので、当該接続検知装置と前記光アダプタとの一体化を確実なものとし、しかも前記接続検知装置のスイッチレバーの先端側を前記光アダプタの切欠凹部内に的確に配置させることができる。
【００３０】
前記光コネクタプラグは、前記光アダプタと着脱自在に係合するラッチレバーが当該光コネクタプラグの長手方向の上面に前方から後方に向かって形成されたＬＣ形の光コネクタプラグであり、当該光コネクタプラグが前記光アダプタの嵌合部に半挿し状態でなく完全挿入された際には、前記ラッチレバーが前記接続検知装置のスイッチレバーを押し上げスイッチオフ状態からスイッチオン状態となして、前記正面の発光表示部に当該オン状態の点灯色が表示されるように形成したので、正面からの発光表示部の視認により、前記光アダプタ両端の嵌合部に各挿入される単心、２心もしくは４心以上のＬＣ形光コネクタプラグが半挿し状態であるか否かを同時に確認することができ、当該ＬＣ形光コネクタプラグの接続不良事故の発生を未然に防止することができる。また、ラッチレバーが破損してスイッチレバーが押し上げられない場合も容易に検知できる。
【００３１】
前記光コネクタプラグは、フェルールを先端に収納したスリーブ状のハウジングに外挿して該ハウジングの軸線方向に確保した可動範囲でスライド移動可能に設けられた筒状のカップリングを有するＭＰＯ形の光コネクタプラグであり、前記光コネクタプラグが前記光アダプタの嵌合部に半挿し状態でなく完全挿入された際には、前記カップリングが前記接続検知装置のスイッチレバーを押し上げスイッチオフ状態からスイッチオン状態となして、前記正面の発光表示部に当該オン状態の点灯色が表示されるように形成したので、正面からの発光表示部の視認により、前記光アダプタ両端の嵌合部に各挿入される前記ＭＰＯ形の光コネクタプラグが半挿し状態であるか否かを同時に確認することができ、当該ＭＰＯ形の光コネクタプラグの接続不良事故の発生を未然に防止することができる。
【００３２】
前記光コネクタプラグは、プラグフレームの外側にツマミを外装し、前記プラグフレームが前記ツマミ内を軸方向へ所要ストロークだけ摺動できるように構成されたＭＵ形の光コネクタプラグであり、前記光コネクタプラグが前記光アダプタの嵌合部に半挿し状態でなく完全挿入された際には、前記ツマミが前記接続検知装置のスイッチレバーを押し上げスイッチオフ状態からスイッチオン状態となして、前記正面の発光表示部に当該オン状態の点灯色が表示されるように形成したので、正面からの当該発光表示部の視認により、前記光アダプタ両端の嵌合部に各挿入される前記ＭＵ形の光コネクタプラグが半挿し状態であるか否かを同時に確認することができ、当該ＭＵ形の光コネクタプラグの接続不良事故の発生を未然に防止することができる。
【００３３】
前記光コネクタプラグは、ツマミ内部に装着されたプラグフレーム内にフェルールを内装して成るＳＣ形の光コネクタプラグであり、前記光コネクタプラグが前記光アダプタの嵌合部に半挿し状態でなく完全挿入された際には、前記ツマミの上面中央に形成されたガイド突起が前記接続検知装置のスイッチレバーを押し上げスイッチオフ状態からスイッチオン状態となして、前記正面の発光表示部に当該オン状態の点灯色が表示されるように形成したので、正面からの発光表示部の視認により、前記光アダプタ両端の嵌合部に各挿入される前記ＳＣ形の光コネクタプラグが半挿し状態であるか否かを同時に確認することができ、当該ＳＣ形の光コネクタプラグの接続不良事故の発生を未然に防止することができる。
【図面の簡単な説明】
【００３４】
【図１】本発明を実施するための一形態を示す光コネクタプラグの接続検知機構を示すもので、（ａ）は背面図、（ｂ）は平面図、（ｃ）は正面図、（ｄ）は底面図、（ｅ）は側面図である。
【図２】同じく光コネクタプラグの接続検知機構を示すもので、（ａ）は斜め前方から視た斜視図、（ｂ）は斜め後方から視た斜視図、（ｃ）は図１（ｃ）のＡ−Ａ断面図である。
【図３】接続検知装置の一例を示すもので、（ａ）は斜め前方から視た斜視図、（ｂ）は背面図、（ｃ）は平面図、（ｄ）は正面図、（ｅ）は底面図、（ｆ）は側面図である。
【図４】２心用のＬＣ形光コネクタ相互接続アダプタを取り付けたアダプタパネルを示すもので、（ａ）は背面図、（ｂ）は平面図、（ｃ）は正面図、（ｄ）は底面図、（ｅ）は側面図である。
【図５】同じく２心用のＬＣ形光コネクタ相互接続アダプタを取り付けたアダプタパネルを示すもので、（ａ）は斜め前方から視た斜視図、（ｂ）は斜め後方から視た斜視図である。
【図６】アダプタパネルに取り付けられる２心用のＬＣ形光コネクタ相互接続アダプタを示すもので、（ａ）は平面図、（ｂ）は側面図、（ｃ）は底面図、（ｄ）は正面図、（ｅ）は背面図である。
【図７】同じくアダプタパネルに取り付けられる２心用のＬＣ形光コネクタ相互接続アダプタを示すもので、（ａ）は斜め前方から視た斜視図、（ｂ）は斜め後方から視た斜視図、（ｃ）は図６（ｄ）のＢ−Ｂ断面図、（ｄ）は図６（ｄ）のＣ−Ｃ断面図である。
【図８】２心用のＬＣ形光コネクタ相互接続アダプタを取り付けたアダプタパネルに接続検知装置を取り付ける手順を示すもので、（ａ）は接続検知装置を取り付ける前の状態のアダプタパネルの斜視図、（ｂ）はアダプタパネルを固定するためのネジを取り付けた状態の斜視図、（ｃ）はブランクパネルを取り付けた状態のアダプタパネルの斜視図、（ｄ）〜（ｈ）はブランクパネルに替わってアダプタパネルに接続検知装置を取り付ける手順を示す斜視図である。
【図９】同じく２心用のＬＣ形光コネクタ相互接続アダプタを取り付けたアダプタパネルに接続検知装置を取り付ける手順を示すもので、（ａ）は、光アダプタパネルの前方からこのガイド溝に接続検知装置側面のガイドキーを挿入する状態の要部を示す拡大斜視図、（ｂ）は接続検知装置下面の突起を２心用のＬＣ形光コネクタ相互接続アダプタ上側の孔部に嵌合する状態の要部を示す拡大斜視図である。
【図１０】接続検知動作を示すもので、２心用のＬＣ形光コネクタ相互接続アダプタにＬＣ形光コネクタプラグを接続する前の状態の断面図である。
【図１１】同じく接続検知動作を示すもので、ＬＣ形光コネクタプラグを挿入してシャッタが半開き状態となった断面図である。
【図１２】同じく接続検知動作を示すもので、ＬＣ形光コネクタプラグが光学基準面位置に到達して半挿し状態となっている断面図である。
【図１３】同じく接続検知動作を示すもので、ＬＣ形光コネクタプラグが嵌合完了接続位置に達して接続検知装置のスイッチレバーがＯＮとなった状態の断面図である。
【図１４】スイッチレバー機構の詳細を示す要部の拡大断面図である。
【図１５】スイッチレバーの作動詳細を示すもので、（ａ）はスイッチレバーがオフ状態の時の側面図、（ｂ）は同じく底面図、（ｃ）はスイッチレバーが上方に押されてオン状態となった時の側面図、（ｄ）は同じく底面図である。
【図１６】ＭＰＯ形光コネクタ相互接続アダプタにＭＰＯ形光コネクタプラグを接続する場合の接続検知動作を示すもので、（ａ）は接続前の縦断面図、（ｂ）は接続前の横断面図、（ｃ）はスイッチレバー構造の詳細を示す要部の拡大断面図である。
【図１７】同じく接続検知動作を示すもので、（ａ）はＭＰＯ形光コネクタプラグに弾性係合爪が当接した状態の縦断面図、（ｂ）は横断面図である。
【図１８】同じく接続検知動作を示すもので、（ａ）はＭＰＯ形光コネクタプラグが光学基準面位置に到達して半挿し状態となっているときの縦断面図、（ｂ）は横断面図である。
【図１９】同じく接続検知動作を示すもので、（ａ）はＭＰＯ形光コネクタプラグが嵌合完了接続位置に達して接続検知装置のスイッチレバーがＯＮとなった状態の縦断面図、（ｂ）は横断面図である。
【図２０】ＭＵ形光コネクタ相互接続アダプタにＭＵ形光コネクタプラグを接続する場合の接続検知動作を示す接続前の縦断面図である。
【図２１】同じく接続検知動作を示すもので、ＭＵ形光コネクタプラグに係止片が当接した状態の縦断面図である。
【図２２】同じく接続検知動作を示すもので、ＭＵ形光コネクタプラグが光学基準面位置に到達して半挿し状態となっているときの縦断面図である。
【図２３】同じく接続検知動作を示すもので、ＭＵ形光コネクタプラグが嵌合完了接続位置に達して接続検知装置のスイッチレバーがＯＮとなった状態の縦断面図である。
【図２４】ＳＣ形光コネクタ相互接続アダプタにＳＣ形光コネクタプラグを接続する場合の接続検知動作を示すもので、（ａ）は接続前の縦断面図、（ｂ）は横断面図である。
【図２５】同じく接続検知動作を示すもので、（ａ）はＳＣ形光コネクタプラグに係止片が当接した状態の縦断面図、（ｂ）は横断面図である。
【図２６】同じく接続検知動作を示すもので、（ａ）はＳＣ形光コネクタプラグが光学基準面位置に到達して半挿し状態となっているときの縦断面図、（ｂ）は横断面図である。
【図２７】同じく接続検知動作を示すもので、（ａ）はＳＣ形光コネクタプラグが嵌合完了接続位置に達して接続検知装置のスイッチレバーがＯＮとなった状態の縦断面図、（ｂ）は横断面図である。
【発明を実施するための形態】
【００３５】
以下、図面を参照して本発明に係る光コネクタの接続検知機構の実施の形態を詳細に説明する。以下の説明では、ＬＣ形光コネクタ、ＭＰＯ形光コネクタ、ＭＵ形光コネクタ、ＳＣ形光コネクタの各接続検知機構について順次説明する。なお、ＬＣ形光コネクタ等は２心用としているが、単心若しくは４心以上であってもよい。
【００３６】
＜２心用のＬＣ形光コネクタの接続検知機構＞
本実施形態における２心用のＬＣ形光コネクタの接続検知機構は、図１乃至図５、図１０、図１１に示すように、例えば不図示の光配線ラック等に実装される薄板矩形状の光アダプタパネル１の長手方向下端側に形成された複数の矩形開口部それぞれに、一対の対向する２心用のＬＣ形の光コネクタプラグ２０（以後、光プラグ２０と略称する）を相互接続するための２心用のＬＣ形光コネクタ相互接続アダプタ１１（以後、光アダプタ１１と略称する）が互いに水平方向に並置するように実装され、前記光アダプタパネル１の長手方向上端側に前記複数の矩形開口部を全て合わせた横幅に略対応するよう矩形状に切り込み形成された取付凹所２に、前面に接続検知用の例えばＬＥＤ表示灯等の発光表示部３２及び下面の前後両端側に樹脂製の接続検知用のスイッチレバー３３を備えた矩形筐体状の接続検知装置３１が装着されて成る。このときの取付凹所２は、接続検知装置３１の長さと略同じ幅を有し、当該取付凹所２内の左右で相対向する内縁にはＬ字状に折曲形成した保持枠部２Ａにより接続検知装置３１の左右両側壁面を保持している。
そして、前記スイッチレバー３３は、図示例では接続検知装置３１下面の前後両端側に設けられているが、前側のみ設置することもある。この場合、後述する発光表示部３２は上下部に一対配設されるのではなく上下部位の何れか一方のみ配設される。
【００３７】
なお、この接続検知装置３１を使用しないときは、光アダプタパネル１の取付凹所２に、表面にポート表示ラベル３９を付設したブランクパネル４０を取り付けておく（図８（ｃ）参照）。
【００３８】
図１乃至図５、及び図９（ａ）に示すように、前記接続検知装置３１の左右両側面には取付フランジ部４を設け、これら左右の取付フランジ部４に形成されたネジ孔３Ａから前記光アダプタパネル１の左右両端上側に形成されたネジ孔１Ａにネジ３を挿入することによって不図示の光配線ラック等に実装される。また、前記接続検知装置３１の左右両側面の下側において前記取付フランジ部４の後方へ離間した位置に前後方向に水平なガイドキー３４を設け、これに対応して光アダプタパネル１の前記取付凹所２における左右内縁の対向位置には、当該光アダプタパネル１の前方から前記ガイドキー３４を挿入するためのガイド溝１Ｄを設ける。なお、前記光アダプタパネル１の左右両端下側に形成されたネジ孔１Ｂにネジ１Ｃを挿入することによって不図示の光配線ラック等に実装される。
【００３９】
さらに、図３（ａ）、（ｂ）、（ｄ）、（ｅ）、及び図９（ｂ）に示すように、前記接続検知装置３１の下面の前後両端側には下向きの突起３５を備え、これに対応すべく前記光アダプタ１１の両嵌合部の開口端上壁側には孔部３６（後述の図６（ａ）、図７（ａ）、（ｂ）、（ｄ）参照）を備えており、前記光アダプタパネル１に対し前記接続検知装置３１を前記取付フランジ部４で係止した状態で下方に移動させて、前記突起３５を前記孔部３６に嵌合させることで当該接続検知装置３１に対する前記光アダプタ１１の位置決めを行わせるようにしている。当該接続検知装置３１には、不図示の中継部との通信ケーブル接続用の通信コネクタ３７が接続されている（図１、図２参照）。図中３７ａは前記通信コネクタ３７が嵌合するコネクタである。なお、前記接続検知装置３１を例えば電池内蔵型として単体で使用することもでき、この場合には前記通信コネクタ３７は無くても良い。また、接続検知装置３１側を孔部３６となし、光アダプタ１１側を突起３５となしても良い。
【００４０】
前記接続検知装置３１の正面の発光表示部３２は、前記光アダプタ１１それぞれの前後両端の嵌合部Ａ、Ｂに対応して上下部位に横一列となって設けてある。また、前記発光表示部３２の上側には、既述したようにポート番号を印刷した帯状のポート表示ラベル３９が貼着されている。なお、このポート表示は前記接続検知装置３１の前面に刻印しても良い。前記接続検知装置３１内部には、前記発光表示部３２の電源制御回路３２Ａ等を実装した基板３２Ｂが内装され、該基板３２Ｂの前後両端には樹脂製の接続検知用のスイッチレバー３３が後述する圧縮バネ３３Ｄによって斜め前方に向けられた状態となって付勢配置されており、当該スイッチレバー３３の先端を前記光アダプタ１１の前後両嵌合部の後述する矩形切り込み状の切欠凹部３８に各臨ませてある。このとき上側のリアー側の発光表示部３２は後側のスイッチレバー３３に電気的に接続され、下側のフロント側の発光表示部３２は前側のスイッチレバー３３に電気的に接続される。
【００４１】
図１（ｂ）、（ｃ）、図２（ａ）、（ｃ）、図３（ａ）、（ｃ）、図７、図１０乃至図１３に示すように、前記接続検知装置３１の前面には、その上側にリアー「Ｒ」側、下側にフロント「Ｆ」側の一対となった例えばオン状態を示す「緑」とオフ状態を示す「赤」の点灯色に表示変更が可能なＬＥＤ表示灯等の発光表示部３２を当該装置３１前面下端側の前記スイッチレバー３３に対応する位置に設けてある。すなわち、前記スイッチレバー３３は樹脂材によって形成され、図１４及び図１５に示すように、接続検知装置３１の内底部にスイッチ外形部３３Ａが設置され、該スイッチ外形部３３Ａの一端側にはスイッチレバー３３が支軸３３Ｂによって揺動自在となって配置されている。また、前記スイッチ外形部３３Ａ内部の略中央には、スイッチユニット３３Ｃが前後スライド自在となって設けられ、スイッチユニット３３Ｃの前端部に前記スイッチレバー３３の支軸３３Ｂ側端部が当接している。
【００４２】
前記スイッチユニット３３Ｃは後方に配した圧縮バネ３３Ｄによって前方（スイッチレバー３３側）に付勢されていて、この圧縮バネ３３Ｄの弾発力で前記スイッチユニット３３Ｃを介してスイッチレバー３３先端が下方傾斜状に向くように付勢している。この場合、図１０乃至図１３に示すように、前記光プラグ２０の光アダプタ１１への挿入前では、スイッチレバー３３の先端は、当該光アダプタ１１の切欠凹部３８内において、嵌合開口部に対して前方へ向けて下方傾斜した状態となって配置される。
【００４３】
図１５に示すように、前記スイッチユニット３３Ｃには側面から略Ｌ字状に突出したオス側接点バネ３３Ｅが取り付けられており、該スイッチユニット３３Ｃはオス側接点バネ３３Ｅと一体になってスライド動作する。また、スイッチ外形部３３Ａ内部には、オス側接点バネ３３Ｅに対応して、二股バネ先端が嘴状（Ｘ状）となったメス側接点バネ３３Ｆが設けられ、前記スイッチレバー３３が支軸３３Ｂを介して上方に揺動することで前記スイッチユニット３３Ｃが押されて後方移動した際に、オス側接点バネ３３ＥのＬ字先端側がメス側接点バネ３３Ｆの嘴部分に挟持嵌合されることで、前記発光表示部３２はスイッチオン状態となるようにしてある。
【００４４】
前記光アダプタ１１は、図６、図７に示すように、両端に光学軸が一致するように前記光プラグ２０の嵌合部Ａ、Ｂをそれぞれ備え且つ内部には、両端の嵌合部Ａ、Ｂから挿入される各光プラグ２０のフェルール先端部同士を突合せ接合するためのスリーブホルダー１８を有し、前記光アダプタ１１の前後両嵌合部Ａ、Ｂの開口端上壁側には矩形切り込み状の切欠凹部３８が形成されている。そして、前記接続検知装置３１のスイッチレバー３３の先端側がこの切欠凹部３８に各臨ませてあり、前記光プラグ２０が前記光アダプタ１１の嵌合部に半挿し状態でなく完全挿入された接続完了時となったときには前記スイッチレバー３３が押し上げられてスイッチオン状態となって、前記正面の発光表示部３２はオン状態を示す「緑」の点灯色が表示される。一方、未接続時の半挿し状態であれば前記スイッチレバー３３は押し下げられたスイッチオフ状態のままであり、前記正面の発光表示部３２はオフ状態を示す「赤」の点灯色に表示される（消灯若しくは点滅でも良い）。このように前記発光表示部３２はスイッチレバー３３のオン、オフ状態に応じてこれが視認できるように表示されるものである。
【００４５】
本実施形態では、前記光アダプタ１１は、図１０乃至図１３に示すように、当該光アダプタ１１と着脱自在に係合するラッチレバー２８がプラグの長手方向の上面に前方から後方に向かって形成された一対の対向する２心用のＬＣ形光コネクタプラグを備えた光プラグ２０を相互接続するための２心用のＬＣ形光コネクタ相互接続アダプタである。前記光プラグ２０が前記光アダプタ１１の嵌合部Ａに半挿し状態でなく完全挿入され、接続完了となった際には、後述するように前記光アダプタ１１の張り出し部１６Ｃを通過してバネ力により起き上がった（変形復元）ラッチレバー２８の左右の係合突起２８Ａが嵌合溝１６Ｄに嵌合することで、当該ラッチレバー２８が前記接続検知装置３１のスイッチレバー３３を押し上げスイッチオフ状態からスイッチオン状態となって、前記正面の発光表示部３２は当該オン状態を示す「緑」の点灯色に表示される。
【００４６】
具体的には、図７、図１０乃至図１３に示すように、２心用のＬＣ形の光コネクタ相互接続用の光アダプタ１１を構成するコネクタハウジング１２を備え、一対の対向する前記光プラグ２０を両端から相互に挿入可能とする嵌合部Ａ、Ｂを両端に備えた矩形状の筒体となって形成される。前記コネクタハウジング１２内部の中央には、図７（ｃ）、図１０乃至図１３に示すように、スリーブホルダー１８を構成する一方の円筒１８Ａが一方の嵌合部Ａに向かって突設してあると共に、他方の円筒１８Ｂが他方の嵌合部Ｂに向かって突設してある。これら両円筒１８Ａ、１８Ｂは光学軸上で中心軸が一致するようにして形成されており、隣接する両円筒１８Ａ、１８Ｂ内に、一個の割りスリーブ１８Ｃが内挿された状態となって配置されている。
【００４７】
前記コネクタハウジング１２の左右側壁それぞれには、略コ字状の金属枠片よって形成されたパネル固定用の複数の係止バネを備えた固定金具１９が前記コネクタハウジング１２側に設けられた係止突起１２Ａと前記固定金具１９側に設けられた係止孔１９Ａとの係合によって装着固定される。
【００４８】
さらに、図７に示すように、前記コネクタハウジング１２内部の左右側壁上側には、長手方向に沿って、前記光プラグ２０を挿入ガイドするための下側にガイド突条１６Ａを備えた内向きコ字形状の凹溝部１６Ｂが水平方向に形成されている。前記光アダプタ１１内部には内端側に嵌合溝１６Ｄを有する張り出し部１６Ｃを形成してあり、該張り出し部１６Ｃを通過してバネ力により起き上がった（変形復元）ラッチレバー２８の左右の係合突起２８Ａが前記嵌合溝１６Ｄに嵌合する。これらガイド突条１６Ａ、凹溝部１６Ｂ、嵌合溝１６Ｄは、前記光プラグ２０の凹凸外形状に対応している。
【００４９】
前記コネクタハウジング１２の一方の嵌合部Ａには、斜め配置で当該嵌合部Ａを閉鎖するためのシャッタ板１３が支軸１３Ａを介して、嵌合部Ａの内側で開閉可能となるように配置されている。そして、前記板バネ１４の一端を支軸１３Ａを介してコネクタハウジング１２内部底面に当接させ、他端を前記シャッタ板１３の内側面に圧接させることで当該シャッタ板１３を閉鎖方向に付勢している。なお、前記シャッタ板１３を開閉揺動可能となるよう左右側壁それぞれには、支軸１３Ａを所謂扇の要とする扇型の窪み部１５（図７（ｃ）参照）を形成してある。また、前記シャッタ板１３には、前記光プラグ２０が前記コネクタハウジング１２の嵌合部Ａ手前において斜め上方向側から挿入される際に、後述するフェルール先端部が当該シャッタ板１３前面に接触しないよう窪み状の逃げ部１３Ｂが形成されている。なお、本例ではシャッタ板１３付きのコネクタハウジング１２を使用しているが、シャッタ板１３の無い通常のアダプタであっても良い。
【００５０】
前記ＬＣ形の光プラグ２０は、図１０乃至図１３に示すように、比較的高強度なプラスチックから成るカップリングスリーブ２１と、このカップリングスリーブ２１内にフェルール用チューブ２２およびフェルールフレーム２３に装着されたフェルール２４と、前記フェルールフレーム２３の後端部外周に装着されるスプリング２５と、このスプリング２５を介して前記フェルールフレーム２３の後端部に嵌合するプラスチック製の本体フレーム２６と、この本体フレーム２６後部に装着されたブーツ２７とを具備する。
【００５１】
また、前記カップリングスリーブ２１の外周面には、前記コネクタハウジング１２の両端に設けられた嵌合部Ａ、Ｂ内の上側に配設された内向きコ字形状の凹溝部１６Ｂに係合しつつ挿入される前記左右一対の係合突起２８Ａを有し且つ、前記嵌合溝１６Ｄとの係合およびその解除を行うためのラッチレバー２８が当該カップリングスリーブ２１に一体的に設けられている。このラッチレバー２８は、カップリングスリーブ２１の先端部から後端部に向かって徐々に当該カップリングスリーブ２１外表面から離れるように傾斜して延設されており、その後端部は、本体フレーム２６の外周面に形成された解除レバー２９に当接するようカップリングスリーブ２１とは反対側に傾斜状に突出している。
【００５２】
こうして前記コネクタハウジング１２の一方の開口側（例えば嵌合部Ａ）から装着される前記光プラグ２０のフェルール２４が前記スリーブホルダー１８の一方側に嵌合すると共に、これと接続される光プラグ２０のフェルール２４が当該スリーブホルダー１８の他方側に嵌合することで、両円筒１８ａ、１８ｂ相互に跨って内装された割りスリーブ１８Ｃを介して、これら両フェルール２４先端を当接しつつ軸方向に一直線状に整列されたものとなる（図１３参照）。なお、上記した２心用のコネクタハウジング１２によるＬＣ形の光コネクタ相互接続用アダプタ１１を構成する替わりに、単心若しくは４心用以上のコネクタハウジング１２によるＬＣ形の光コネクタ相互接続用アダプタを構成しても良い。
【００５３】
次に、以上のように構成された最良の形態についての組立、使用、動作の一例について説明する。
【００５４】
まず、前記接続検知装置３１を使用しないときは、図８（ａ）、（ｂ）に示すように、前記光アダプタパネル１の左右両端下側のネジ孔１Ｂにネジ１Ｃを挿入することによって不図示の光配線ラック等に実装される。そして、図８（ｃ）に示すように、前記光アダプタパネル１の取付凹所２を塞ぐように、表面に前記ポート表示ラベル３９を付設したブランクパネル４０をネジ３でネジ孔１Ａに取り付けておく。
【００５５】
前記光アダプタパネル１への前記接続検知装置３１の組立に際し、図８（ｄ）に示すように、ネジ孔１Ａからネジ３を外して前記ブランクパネル４０を取り外し取付凹所２を開放し、前記接続検知装置３１を当該取付凹所２内に保持枠部２Ａで挟持されるようにして装着する。このとき、図８（ｅ）、図９（ａ）に示すように、前記接続検知装置３１のガイドキー３４を前記光アダプタパネル１の取付凹所２におけるガイド溝１Ｄに前方から挿入する。
【００５６】
また、前記接続検知装置３１の取付フランジ部４が前記光アダプタパネル１の前面に当接したのを契機に、図８（ｇ）、図９（ｂ）に示すように、前記接続検知装置３１を下方に移動させ、当該接続検知装置３１下面の突起３５を前記光アダプタ１１の孔部３６に嵌合させることで前記接続検知装置３１に対する前記光アダプタ１１の位置決めを行う。このとき、前記取付フランジ部４のネジ孔３Ａと、前記光アダプタパネル１のネジ孔１Ａとが合致した状態となる。そして、図８（ｈ）に示すように、前記取付フランジ部４のネジ孔３Ａにネジ３を挿入し、前記光アダプタパネル１ごと不図示の光配線ラック等に固定する。
【００５７】
次に、前記光アダプタ１１に対する前記光プラグ２０の使用に際し、先ず、前記コネクタハウジング１２の一方の嵌合部Ａに前記光プラグ２０を嵌合させる前では、図１０に示すように、前記シャッタ板１３は、前記板バネ１４の拡開方向への弾発力により、一方の嵌合部Ａにおける嵌合端を閉鎖している。このとき、前記シャッタ板１３の可動部側面は、前記窪み部１５の段差状の突当面によって係止されている。
【００５８】
図１１に示すように、前記光プラグ２０のフェルール２４先端部を前記シャッタ板１３前面に接触させずに、当該フェルール２４周囲を覆う円筒状のカップリングスリーブ２１の先端開口縁部によって、閉鎖中のシャッタ板１３が押され、板バネ１４の弾発力に抗して嵌合端内側に当該シャッタ板１３が傾倒する。このとき、前記シャッタ板１３の可動部側面は左右の扇型の窪み部１５内に係合しつつシャッタ板１３自体を開方向（下側）に揺動する。
【００５９】
図１２に示すように、前記光プラグ２０を前記コネクタハウジング１２の嵌合部Ａ内へ更に押し込むと、当該コネクタハウジング１２の嵌合部Ａの下側にガイド突条１６Ａを備えた内向きコ字形状の凹溝部１６Ｂの存在により、挿入過程に伴って前記光プラグ２０自体が水平状態となって挿入される。このとき、前記ラッチレバー２８の左右の係合突起２８Ａは前記張り出し部１６Ｃを通過している途中であって嵌合溝１６Ｄに未だ嵌合していないことから、前記接続検知装置３１のスイッチレバー３３はラッチレバー２８によって未だ押し上げられておらず、スイッチオフ状態のままであり、正面の発光表示部３２はオフ状態を示す「赤」の点灯色（消灯若しくは点滅でも良い）が表示される。これにより前記光プラグ２０は前記光アダプタ１１の嵌合部Ａに対し半挿し状態であることが正面視によって確実に確認することができる。
【００６０】
図１３に示すように、前記光プラグ２０が前記光アダプタ１１の嵌合部Ａに半挿し状態でなく完全挿入され、接続完了となった際には、前記光アダプタ１１の張り出し部１６Ｃを通過してバネ力により起き上がった（変形復元）前記ラッチレバー２８の左右の係合突起２８Ａが前記嵌合溝１６Ｄに嵌合する。これにより前記ラッチレバー２８が前記接続検知装置３１のスイッチレバー３３を押し上げスイッチオン状態となり、前記正面の発光表示部３２はオン状態を示す「緑」の点灯色が表示される。
【００６１】
＜ＭＰＯ形光コネクタの接続検知機構＞
次に、本実施形態の接続検知機構をＭＰＯ形光コネクタプラグに適用した例について、図１６乃至図１９を基に詳細に説明する。なお、本例での接続検知装置３１およびその内部のスイッチ外形部３３Ａ内部の構成（スイッチユニット３３Ｃ、メス側接点バネ３３Ｆ、オス側接点バネ３３Ｅ等）は、前記したＬＣ形光コネクタプラグに適用した例におけるものと同様なので、その詳細な説明は省略若しくは簡略化する。
【００６２】
図１６乃至図１９に示すように、本例での光プラグ５０は、フェルール５２を先端に収納したスリーブ状のハウジング５１に外挿して該ハウジング５１の軸線方向に確保した可動範囲でスライド移動可能に設けられた筒状のカップリング５３を有するＭＰＯ形の光コネクタプラグである。
【００６３】
すなわち、この光プラグ５０は、Ｍ形のＭＰＯプラグであり、光ファイバの先端に取り付けられたフェルール５２と、このフェルール５２を先端（前端）に収納したスリーブ状のハウジング５１と、このハウジング５１内に収納され前記フェルール５２をコネクタ前側へ弾性付勢するスプリング５５を具備している。また、この光プラグ５０は、前記ハウジング５１に外挿して該ハウジング５１の軸線方向に確保した可動範囲でスライド移動可能に設けられた筒状のカップリング５３と、前記ハウジング５１の前記フェルール５２が設けられている前端とは反対の後端部に取り付けられたブーツ５４とを具備している。而して、前記カップリング５３は、前記ハウジング５１の左右外壁面に配したスプリング５６によって前方側へ弾性付勢されている。なお、図中、光プラグ５０の符号５７は、相手側のＦ形の光プラグ（図示省略）に形成されたピン孔（図示省略）に嵌挿されるガイドピンであり、このガイドピン５７が相手側のＦ形の光プラグのピン孔に挿入してフェルール５２同士を突き合わせ接合するものである。
【００６４】
前記光プラグ５０同士の接続は、筒状の光アダプタ６０にその軸線方向の一方の端部から前記Ｍ形の光プラグ５０を挿入、締結し、前記光アダプタ６０にその軸線方向の他方の端部から相手側であるＦ形の光プラグ（図示せず）を挿入、締結して、各標準の光プラグ５０前端のフェルール５２同士を突き合わせ接合する。
【００６５】
前記光アダプタ６０は、前記光プラグ５０が挿入されるコネクタ穴６２が貫設された筒状ボディ６３の内側に、当該光プラグ５０のハウジング５１の両側の前後一対の係合突部５１Ａ、５１Ｂ間に係脱可能に係合する一対の弾性係合爪６４が突設された構成になっている。そして、前記弾性係合爪６４は、前記筒状ボディ６３の軸線方向一端からコネクタ穴６２内に当該筒状ボディ６３の軸線方向他端に向かって延出する弾性片である。また、前記弾性係合爪６４は、その先端に突設された突爪６４Ａを前記光プラグ５０のハウジング５１の両側の前後一対の係合突部５１Ａ、５１Ｂ間に係合させて当該ハウジング５１に係脱可能に係合するものとなっている（図１９（ａ）、（ｂ）参照）。
【００６６】
図１６（ｃ）に示すように、前記接続検知装置３１の前記スイッチ外形部３３Ａは前後逆向きとなって配置されることで、接続検知用のスイッチレバー３３は下面端部から斜め後方に向けられた状態となって配設され、当該スイッチレバー３３の先端を前記光アダプタ６０の前後両嵌合部の矩形切り込み状の切欠凹部３８に各臨ませてある。前記光プラグ５０が前記光アダプタ６０の嵌合部に半挿しでない状態となって完全挿入された際には、前記カップリング５３が前記接続検知装置３１のスイッチレバー３３を押し上げスイッチオン状態となり、前記正面の発光表示部３２はオン状態を示す点灯色が表示される（図１９（ａ）、（ｂ）参照）。例えば、前記光プラグ５０が前記光アダプタ６０の嵌合部に半挿し状態でなく完全挿入された接続完了時となったときには前記スイッチレバー３３が押し上げられてスイッチオン状態となって、前記正面の発光表示部３２はオン状態を示す「緑」の点灯色が表示される。一方、未接続時の半挿し状態であれば前記スイッチレバー３３は押し下げられたスイッチオフ状態のままであり、前記正面の発光表示部３２はオフ状態を示す「赤」の点灯色が表示される（消灯若しくは点滅でも良い）。こうして正面からの発光表示部３２の視認により、前記光アダプタ６０両端の嵌合部に各挿入される前記光プラグ５０が半挿し状態であるか否かを同時に確認することができる。
【００６７】
図１６（ａ）、（ｂ）に示すように、前記光プラグ５０の光アダプタ６０への挿入前では、スイッチレバー３３の先端は、当該光アダプタ６０の切欠凹部３８内において、嵌合開口部に対して後方へ下方傾斜した状態となって配置されている。
【００６８】
図１７（ａ）、（ｂ）に示すように、前記した前方側の係合突部５１Ａに、弾性係合爪６４先端の突爪６４Ａが当接した際においては、前記接続検知装置３１のスイッチレバー３３はカップリング５３によって未だ押し上げられておらず、スイッチオフ状態のままであり、正面の発光表示部３２はオフ状態を示す「赤」の点灯色（消灯若しくは点滅でも良い）が表示されたままの半挿し状態にある。
【００６９】
図１８（ａ）、（ｂ）に示すように、前記光アダプタ６０内において、前記光プラグ５０が光学基準面位置に達した際には、弾性係合爪６４先端の突爪６４Ａによってカップリング５３先端が前記スプリング５６の光プラグ５０前方側への弾性付勢力に抗して押されてカップリング５３が若干後方へ退避し、前記ハウジング５１の前記した前側の係合突部５１Ａ（引っ掛かり部）が一部露出する。このとき前記弾性係合爪６４の先端内面の突爪６４Ａが、この係合突部５１Ａ（引っ掛かり部）に乗り上げている。この状態においても、前記接続検知装置３１のスイッチレバー３３はカップリング５３によって未だ押し上げられておらず、スイッチオフ状態のままであり、正面の発光表示部３２はオフ状態を示す「赤」の点灯色（消灯若しくは点滅でも良い）が表示されたままの半挿し状態にある。
【００７０】
図１９（ａ）、（ｂ）に示すように、嵌合完了位置では、前記弾性係合爪６４の先端内面の突爪６４Ａが、後方の係合突部５１Ａ（引っ掛かり部）を乗り越えると同時に、前後部の係合突部５１Ａ、５１Ｂの間の凹所に突爪６４Ａが食い込み係止される。これと同時に、前記カップリング５３は、前記スプリング５６による前方側への弾性付勢により前方にスライドし、前記カップリング５３先端が前記接続検知装置３１のスイッチレバー３３を押し上げスイッチオン状態となって、前記正面の発光表示部３２はオン状態を示す「緑」の点灯色が表示される。これにより前記光プラグ５０は前記光アダプタ６０のコネクタ穴６２に対し半挿し状態でないことが正面視によって確実に確認することができる。
【００７１】
＜ＭＵ形光コネクタの接続検知機構＞
次に、本実施形態の接続検知機構をＭＵ形光コネクタプラグに適用した例について、図２０乃至図２３を基に詳細に説明する。なお、本例での接続検知装置３１およびその内部のスイッチ外形部３３Ａ内部の構成（スイッチユニット３３Ｃ、メス側接点バネ３３Ｆ、オス側接点バネ３３Ｅ等）は、前記したＬＣ形光コネクタプラグに適用した例におけるものと同様なので、その詳細な説明は省略若しくは簡略化する。ただ、図２０乃至図２３、及び前記図１６（ｃ）に示すように、前記スイッチ外形部３３Ａは前後逆向きとなっており、前記光プラグ７０の光アダプタ８０への挿入前では、スイッチレバー３３の先端は、当該光アダプタ８０の切欠凹部３８内において、嵌合開口部に対して後方（嵌合部内側）へ向けて下方傾斜した状態となって配置されている。
【００７２】
而して、前記光プラグ７０は、プラグフレーム７５の外側にツマミ７９を外装し、プラグフレーム７５がツマミ７９内を軸方向へ所要ストロークだけ摺動できるように構成されたＭＵ形の光コネクタプラグである。
【００７３】
すなわち、この光プラグ７０は、横長四角形に形成したプラグフレーム７５と金属製のリング７６を軸方向に装着し、該リング７６の後端部にゴムホルダ７７軸方向に連結一体化させると共に、これらの中心に、ファイバを中心に挿通接着させてあるフェルール７２を前記リング７６との間にスプリング７８を介在して内挿配設されている。また、前記プラグフレーム７５の外側にはツマミ７９を外装し、当該プラグフレーム７５が前記ツマミ７９内を軸方向（図中において左右方向）へ所要ストロークだけ摺動できるように構成されている。
【００７４】
さらに、前記光アダプタ８０は、図２０乃至図２３に示すように、横長四角形の筒状に形成されたハウジング８１の中央に、フェルール７２が嵌合するガイド筒８３（前記したスリーブホルダー１８と同様な構成による）が配設され、該ガイド筒８３の左右両側部位には、合成樹脂製の片持梁状の一対のバネ性係止片８４が各々ハウジング８１の内壁面から一体に突設されると共に、それら先端の内側中央部には、係止突部８４Ａが各突設されている。
【００７５】
そして、前記光プラグ７０が前記光アダプタ８０に半挿し状態でなく完全挿入され、接続完了となった際には、前記ツマミ７９が前記接続検知装置３１のスイッチレバー３３を押し上げスイッチオン状態となって、前記正面の発光表示部３２はオン状態を示す「緑」の点灯色が表示される（図２３参照）。一方、未接続時の半挿し状態であれば前記スイッチレバー３３は押し下げられたスイッチオフ状態のままであり、前記正面の発光表示部３２はオフ状態を示す「赤」の点灯色が表示される（消灯若しくは点滅でも良い）。これにより前記光プラグ７０は前記光アダプタ８０のハウジング８１中央のガイド筒８３に対し半挿し状態でないことが正面視によって確実に確認することができる。
【００７６】
＜ＳＣ形光コネクタの接続検知機構＞
次に、本実施形態の接続検知機構をＳＣ形光コネクタプラグに適用した例について、図２４乃至図２７を基に詳細に説明する。なお、本例での接続検知装置３１およびその内部のスイッチ外形部３３Ａ内部の構成（スイッチユニット３３Ｃ、メス側接点バネ３３Ｆ、オス側接点バネ３３Ｅ等）は、前記したＬＣ形光コネクタプラグに適用した例におけるものと同様なので、その詳細な説明は省略若しくは簡略化する。ただ、図２４乃至図２７及び前記図１６（ｃ）に示すように、前記スイッチ外形部３３Ａは前後逆向きとなっており、前記光プラグ９０の光アダプタ１００への挿入前では、スイッチレバー３３の先端は、当該光アダプタ１００の切欠凹部３８内において、嵌合開口部に対して後方（嵌合部内側）へ向けて下方傾斜した状態となって配置されている。
【００７７】
本例の光プラグ９０は、ツマミ９１内のプラグフレーム９２にフェルール９３を内装して成るＳＣ形の光コネクタプラグである。
【００７８】
すなわち、この光プラグ９０は、図２４乃至図２７に示すように、ツマミ９１と、ツマミ９１内に収容されるプラグフレーム９２と、プラグフレーム９２内に収容されるフェルール９３と、このフェルール９３を軸方向に付勢するための弾性部材であるスプリング９４と、プラグフレーム９２内に収容され、フェルール９３の軸方向の移動、即ち、抜けを阻止するストッパ９５と、ゴムブーツ９７とを備えている。また、前記ツマミ９１の上面中央には、光アダプタ１００の嵌合部の上面中央に光軸方向に沿って形成された前記切欠凹部３８にガイド挿入されるガイド突起９８が形成されている。この切欠凹部３８には前記した接続検知装置３１のスイッチレバー３３を臨ませてある。さらに、前記プラグフレーム９２の左右側壁には係止凹部９９が形成され、前記フェルール９３が後述のガイド筒１０２に嵌合すると同時に後述の光アダプタ１００のバネ性係止片１０３先端の係止突部１０３Ａが前記係止凹部９９に係止される。なお、この係止凹部９９に対応して、前記ツマミ９１の左右側壁には、バネ性係止片１０３先端の係止突部１０３Ａを導入するためのキー溝（図示省略）が形成されている。
【００７９】
前記光アダプタ１００は、図２４（ｂ）、図２５（ｂ）、図２６（ｂ）、図２７（ｂ）に示すように、横長四角形の筒状に形成されたハウジング１０１の中央に、フェルール９３が嵌合するガイド筒１０２（前記したスリーブホルダー１８と同様な構成による）が配設され、該ガイド筒１０２の左右両側部位には、合成樹脂製の片持梁状の一対のバネ性係止片１０３が各々ハウジング１０１の内壁面から一体に突設されると共に、それら先端内側には、前記ツマミ９１のキー溝を介してプラグフレーム９２の係止凹部９９に係止される係止突部１０３Ａが各突設されている。
【００８０】
そして、前記光プラグ９０が光アダプタ１００の嵌合部に半挿し状態でなく完全挿入された際、すなわち前記フェルール９３のガイド筒１０２への嵌合と同時に前記ツマミ９１上壁のガイド突起９８が切欠凹部３８の内奥部まで完全挿入された際には、当該切欠凹部３８に臨ませてある接続検知装置３１のスイッチレバー３３が前記ガイド突起９８によって押し退けられるようにして上方へ引き上げられスイッチオン状態となって、前記正面の発光表示部３２はオン状態を示す「緑」の点灯色が表示される（図２７（ａ）参照）。一方、未接続時の半挿し状態であれば前記スイッチレバー３３は押し下げられたスイッチオフ状態のままであり前記正面の発光表示部３２はオフ状態を示す「赤」の点灯色が表示される（消灯若しくは点滅でも良い）。これにより前記光プラグ９０は前記光アダプタ１００の嵌合部に対し完挿しあるいは半挿し状態の何れかであることが正面視によって確実に確認することができる。なお、上記した光アダプタ１００の構成は、前記したＭＰＯ形光コネクタアダプタによる光アダプタ６０の場合と略同様なので、その詳細な説明は省略する。
【００８１】
因みに、上記した各例においては、前記正面の発光表示部３２の点灯色を前記スイッチレバー３３のオン、オフ状態に応じて、「緑」と「赤」（消灯若しくは点滅を含む）に色分けしているが、当該色に限定されるものではなく、異なる色であれば他の色を組み合せて使用しても良い。
【００８２】
光ファイバを使用したＬＣ、ＭＰＯ、ＭＵ、ＳＣ形の光コネクタ装置による接続検知機構として説明したが、これに限らず、光ファイバ以外の電気プラグ用コンセントや電話配線接続用モジュラージャック等、その他の電気機器類の接続検知機構としても幅広く利用することができる。
【符号の説明】
【００８３】
Ａ、Ｂ          嵌合部
１              光アダプタパネル
１Ａ            ネジ孔
１Ｂ            ネジ孔
１Ｃ            ネジ
１Ｄ            ガイド溝
２              取付凹所
２Ａ            保持枠部
３              ネジ
３Ａ            ネジ孔
４              取付フランジ部
１１            光アダプタ（２心用ＬＣ形光コネクタアダプタ）
１２            コネクタハウジング
１２Ａ          係止突起
１３            シャッタ板
１３Ａ          支軸
１３Ｂ          逃げ部
１４            板バネ
１５            窪み部
１６Ａ          ガイド突条
１６Ｂ          凹溝部
１６Ｃ          張り出し部
１６Ｄ          嵌合溝
１８            スリーブホルダー
１８Ａ、１８Ｂ  円筒
１８Ｃ          割りスリーブ
１９            固定金具
１９Ａ          係止孔
２０            光プラグ（２心用ＬＣ形光コネクタプラグ）
２１            カップリングスリーブ
２２            フェルール用チューブ
２３            フェルールフレーム
２４            フェルール
２５            スプリング
２６            本体フレーム
２７            ブーツ
２８            ラッチレバー
２８Ａ          係合突起
２９            解除レバー
３１            接続検知装置
３２            発光表示部
３２Ａ          電源制御回路
３２Ｂ          基板
３３            スイッチレバー
３３Ａ          スイッチ外形部
３３Ｂ          支軸
３３Ｃ          スイッチユニット
３３Ｄ          圧縮バネ
３３Ｅ          オス側接点バネ
３３Ｆ          メス側接点バネ
３４            ガイドキー
３５            突起
３６            孔部
３７            通信コネクタ
３７ａ          コネクタ
３８            切欠凹部
３９            ポート表示ラベル
４０            ブランクパネル
５０            光プラグ（ＭＰＯ形光コネクタプラグ）
５１            ハウジング
５１Ａ、５１Ｂ  係合突部
５２            フェルール
５３            カップリング
５４            ブーツ
５５、５６      スプリング
５７            ガイドピン
６０            光アダプタ（ＭＰＯ形光コネクタアダプタ）
６２            コネクタ穴
６３            筒状ボディ
６４            弾性係合爪
６４Ａ          突爪
７０            光プラグ（ＭＵ形光コネクタプラグ）
７２            フェルール
７５            プラグフレーム
７６            リング
７７            ゴムホルダ
７８            スプリング
７９            ツマミ
８０            光アダプタ（ＭＵ形光コネクタアダプタ）
８１            ハウジング
８３            ガイド筒
８４            バネ性係止片
８４Ａ          係止突部
９０            光プラグ（ＳＣ形光コネクタプラグ）
９１            ツマミ
９２            プラグフレーム
９３            フェルール
９４            スプリング
９５            ストッパ
９７            ゴムブーツ
９８            ガイド突起
９９            係止凹部
１００          光アダプタ（ＳＣ形光コネクタアダプタ）
１０１          ハウジング
１０２          ガイド筒
１０３          バネ性係止片
１０３Ａ        係止突部
【図１】
2020046456.tif 000003
【図２】
2020046456.tif 000004
【図３】
2020046456.tif 000005
【図４】
2020046456.tif 000006
【図５】
2020046456.tif 000007
【図６】
2020046456.tif 000008
【図７】
2020046456.tif 000009
【図８】
2020046456.tif 000010
【図９】
2020046456.tif 000011
【図１０】
2020046456.tif 000012
【図１１】
2020046456.tif 000013
【図１２】
2020046456.tif 000014
【図１３】
2020046456.tif 000015
【図１４】
2020046456.tif 000016
【図１５】
2020046456.tif 000017
【図１６】
2020046456.tif 000018
【図１７】
2020046456.tif 000019
【図１８】
2020046456.tif 000020
【図１９】
2020046456.tif 000021
【図２０】
2020046456.tif 000022
【図２１】
2020046456.tif 000023
【図２２】
2020046456.tif 000024
【図２３】
2020046456.tif 000025
【図２４】
2020046456.tif 000026
【図２５】
2020046456.tif 000027
【図２６】
2020046456.tif 000028
【図２７】
2020046456.tif 000029